【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
Ｎ個のサブキャリアを有する複数のシンボルを備えた、伝送チャネルから受信された入力信号（Ｒ（ｎ））を復調する受信回路であって、前記Ｎ個のサブキャリアには、原データ信号により変調される複数のデータサブキャリアと、少なくともあるシンボルにおいて、参照信号により変調される複数のパイロットサブキャリアとが含まれ、
前記受信回路は、現在のシンボルにより変調された前記原データ信号の推定値
2012507233.tif 000001
を生成するために、前記現在のシンボルに対する前記入力信号を繰返し処理する判定帰還等化器（２２８）を備え、
前記判定帰還等化器は、
前のシンボルに対して決定されたチャネル推定値
2012507233.tif 000002
と、次のシンボルに対して決定されたチャネル推定値
2012507233.tif 000003
と、デマッピングブロック（３１４）を備えるフィードバックパスにより供給される、前記現在のシンボルに対するシンボルデータの前の推定値
2012507233.tif 000004
と、に少なくとも基づいて、キャリア間干渉（ＩＣＩ）雑音の推定値（ＲICI（ｎ））を供給するキャリア間干渉推定ブロック（３２４）と、
前記入力信号から減じられるＩＣＩ雑音の前記推定値に基づいて前記原データ信号の前記推定値を決定する訂正回路（３１０、３１２、３１４、３１６）と、
を備えることを特徴とする受信回路。
【請求項２】
前記フィードバックパスは、チャネル復号器（３１６）をさらに備えることを特徴とする請求項１に記載の受信回路。
【請求項３】
前記訂正回路は、
デマップされたデータ信号を生成するために、前記現在のシンボルに対するシンボルデータの推定値
2012507233.tif 000005
上で、デマッピングを実行するデマッピングブロック（３１４）と、
前記デマップされたデータ信号に基づいて、現在のシンボルに対するシンボルデータの前記前の推定値
2012507233.tif 000006
を供給するマッピングブロック（３２２）と、を備え、
前記原データ信号の前記推定値
2012507233.tif 000007
は、前記デマップされたデータ信号に基づく、
ことを特徴とする請求項１又は２に記載の受信回路。
【請求項４】
前記訂正回路は、
前記原データ信号の前記推定値
2012507233.tif 000008
を生成するために前記デマップされたデータ信号を復号するチャネル復号器（３１６）と、
前記チャネル復号器の出力と接続され、前記デマップされた信号を前記マッピングブロック（３２２）へ供給するために、原データストリームの前記推定値を符号化するチャネル符号化器（３２０）と、
をさらに備えることを特徴とする請求項３に記載の受信回路。
【請求項５】
前記訂正回路（３１０、３１２）は、ＩＣＩ雑音推定値を前記入力信号から減じた結果を前記現在のシンボルに対するチャネル推定値によって割ることにより決定される、前記現在のシンボルに対するシンボルデータの推定値
2012507233.tif 000009
に基づいて、前記原データの推定値
2012507233.tif 000010
を決定することを特徴とする、請求項１から４のいずれか１項に記載の受信回路。
【請求項６】
前記ＩＣＩ推定ブロック（３２４）は、ＩＣＩ雑音推定値（ＲICI（ｎ））を、
2012507233.tif 000011
のように決定し、Ｃは参照行列、
2012507233.tif 000012
は、シンボルｎに対する前記判定帰還等化器の前の繰返しに対して決定された前記現在のシンボルに対するシンボルデータの推定値、
2012507233.tif 000013
は、次のシンボルに対するチャネル推定値、
2012507233.tif 000014
は、前のシンボルに対するチャネル推定値、Ｎは前記入力信号のデータ部分に関するサンプル数、そしてＧはガードインターバルに関するサンプル数であることを特徴とする請求項１から５のいずれか１項に記載の受信回路。
【請求項７】
行列Ｃは、Ｃn、m＝Ｂn-m／Ｎのように定義され、Ｂn-mは、
2012507233.tif 000015
のように定義でき、ＴSはサンプリング間隔であることを特徴とする請求項６に記載の受信回路。
【請求項８】
前記ＩＣＩ推定ブロック（３２４）は、
2012507233.tif 000016
に等しく、対角成分がゼロからなり、行列の各行において対角成分を除く３から２００の要素の最大幅がゼロでない、Ｎ×Ｎ行列
2012507233.tif 000017
を決定することを特徴とする請求項６又は７に記載の受信回路。
【請求項９】
前記受信回路は、前記判定帰還等化器により処理されるシンボルに対する前記入力信号を受信し、前記判定帰還等化器により処理されたシンボルに対する前記原データ信号の前記推定値を受信する、バッファメモリ（６００）を備え、
前記バッファメモリは、複数のメモリバンク（６０２−６０８）を備え、前記メモリバンクの各々における、前記判定帰還等化器により処理されるシンボルに対する前記入力信号の記憶、又は、前記判定帰還等化器により処理されたシンボルに対する前記原データ信号の推定値の記憶は、制御ブロック（６２０）により制御されることを特徴とする請求項１から８のいずれか１項に記載の受信回路。
【請求項１０】
前記制御ブロック（６２０）は、前記判定帰還等化器により処理されている現在のシンボルに対して、前記原データ信号の前記推定値の中の誤りの数を推定し、
検出されたエラーの数に基づいて、次のシンボルに対する前記入力信号を前記判定帰還等化器にロードするように前記バッファメモリを制御することを特徴とする請求項９に記載の受信回路。
【請求項１１】
前記制御ブロックは、チャネル復号の前の原データシンボルの推定値と、チャネル復号及び再符号化の後の原データシンボルの推定値とを比較することにより前記誤りの数を推定することを特徴とする請求項１０に記載の受信回路。
【請求項１２】
第１のクロック信号（ＣＬＫ＿Ｓ）に基づいて、入力信号が前記バッファメモリ構造に入力され、
前記原データ信号の前記推定値が前記バッファメモリ構造から出力され、
前記第１のクロックの周波数の少なくとも２倍の周波数を有する第２のクロック信号（ＣＬＫ＿ＤＦＥ）に基づいて、前記判定帰還等化器は繰返しを実行する
ことを特徴とする請求項９から１１のいずれか１項に記載の受信回路。
【請求項１３】
前記入力信号を受信する入力（２２２、７０２）と、前記入力信号を周波数領域に変換するフーリエ変換ブロック（２２６）と、請求項１から１２のいずれか１項に記載の受信回路と、を備える移動装置。
【請求項１４】
前記入力信号を受信する入力（２２２、７０２）と、前記入力信号を周波数領域に変換するフーリエ変換ブロック（２２６）と、請求項１から１２のいずれか１項に記載の受信回路とを備える基地局。
【請求項１５】
Ｎ個のサブキャリアを有する複数のシンボルを備えた、伝送チャネルから受信された入力信号（Ｒ（ｎ））を復調するための方法であって、前記Ｎ個のサブキャリアには、原データ信号により変調される複数のデータサブキャリアと、少なくともあるシンボルにおいて、参照信号により変調される複数のパイロットサブキャリアとが含まれ、
前記方法は、現在のシンボルにより変調された前記原データ信号の推定値
2012507233.tif 000018
を生成するために、前記現在のシンボルに対する前記入力信号への繰返し処理を実行するステップを備え、
前記繰返し処理は、
前のシンボルに対して決定されたチャネル推定値
2012507233.tif 000019
と、次のシンボルに対して決定されたチャネル推定値
2012507233.tif 000020
と、デマッピングブロック（３１４）を備えるフィードバックパスにより供給される、前記現在のシンボルに対するシンボルデータの前の推定値
2012507233.tif 000021
と、に少なくとも基づいて、キャリア間干渉（ＩＣＩ）雑音（ＲICI（ｎ））を推定するステップと、
前記入力信号から減じられるＩＣＩ雑音の前記推定値に基づいて、前記原データ信号の前記推定値を決定するステップと、
を備えることを特徴とする方法。